(57)【要約】【解決手段】本開示は、単にワイヤを端子の中に押し込む動きによって、ワイヤが端子に係止されると同時に接触され得るように構成されるポークインコネクタに関する。より具体的には、本開示は、ワイヤの係止および係止解除を促進するポークインコネクタに関する。本開示のポークインコネクタは、ワイヤが挿入されて係止されると同時に接触する端子と、端子を被覆し、かつワイヤを係止状態から解除する係止解除レバーとともに、一体として形成される筐体とを備える。係止解除レバーは、弾力性を有し、かつ筐体から延在する可撓性伸長部分と、可撓性伸長部分の終端上に形成され、かつ圧迫されたときに端子の係止部分をいずれかの側に広げることによりワイヤの除去を可能にする圧迫部分とを備える。【選択図】図２
2016514888.tif 000002
【特許請求の範囲】
【請求項１】
ポークインコネクタであって、
端子であって、ワイヤが前記端子の中に押し込まれて係止されると同時に接触する、端子と、
筐体であって、前記端子を被覆し、かつ一体として形成され、前記ワイヤの係止を解除する係止解除レバーを含み、該係止解除レバーが、弾力性を有し、かつ前記筐体から延在する可撓性伸長部分と、該可撓性伸長部分の終端上に形成され、かつ圧迫されたときに前記端子の係止部分をいずれかの側に開放することにより、前記ワイヤの着脱を可能にする圧迫部分と、を含む、筐体と、を備える、ポークインコネクタ。
【請求項２】
前記筐体が、側面および頂面をさらに含み、前記可撓性伸長部分が頂面から延在する、請求項１に記載のポークインコネクタ。
【請求項３】
前記可撓性伸長部分が、曲げ構造として形成される、請求項２に記載のポークインコネクタ。
【請求項４】
前記可撓性伸長部分が、前記筐体の頂面から水平方向に延在する第１の伸長区分を含む、請求項３に記載のポークインコネクタ。
【請求項５】
前記可撓性伸長部分が、曲げ区分をさらに含み、該曲げ区分が、まず前記第１の伸長区分から下向きに曲がり、次に上向きに曲がって戻る、請求項４に記載のポークインコネクタ。
【請求項６】
前記可撓性伸長部分が、前記曲げ区分の終端から水平方向に延在する第２の伸長区分をさらに含む、請求項５に記載のポークインコネクタ。
【請求項７】
端子露出穴が前記筐体の頂面上に形成され、前記端子露出穴が、前記係止解除レバーが位置する上方から端子を露出する、請求項６に記載のポークインコネクタ。
【請求項８】
前記端子露出穴のいずれかの側壁の上に、レベルストッパ部分が形成され、該ストッパ部分が、前記係止解除レバーが圧迫され得る程度を制限するために溝の形をとる、請求項７に記載のポークインコネクタ。
【請求項９】
前記筐体の上部内側に、誘導部分が形成され、該誘導部分が、前記ワイヤが対角線上に下向きの勾配で挿入され得るように、前記筐体の中に挿入されるのを誘導する、請求項８に記載のポークインコネクタ。                                                    
【請求項１０】
前記誘導部分の誘導表面が、前記ワイヤの挿入の方向に下向きの勾配で形成される、請求項９に記載のポークインコネクタ。
【請求項１１】
前記端子が、
ＰＣＢにはんだ付けされた、パネル形状のはんだ付け部分と、
一対の被覆部分であって、各被覆部分が、前記ワイヤを包囲するように前記はんだ付け部分の一方の終端のいずれかの側から上向きに曲げられた、一対の被覆部分と、
一対の係止部分であって、各係止部分が、それぞれの被覆部分から前記はんだ付け部分の他方の端部に向かって延在し、終端間に押し込まれたときに前記ワイヤが係止されるように、終端に近づくにつれて幅が狭くなる、一対の係止部分と、
係止解除部分であって、各係止解除部分が、前記ワイヤを係止状態から解除するとき、前記圧迫部分の下部がそれらの間に挿入されるときに、前記ワイヤが係止状態から解除されるように、前記係止部分間の間隙が広がるように、各々の係止部分の上端部分から延在し、互いに向かい合う、係止解除部分と、をさらに含む、請求項１に記載のポークインコネクタ。
【請求項１２】
前記係止解除部分が、
垂直区分であって、各垂直区分が、前記係止部分の上部から上向きに垂直に延在する、垂直区分と、
水平区分であって、各水平区分が、前記垂直区分の上部から互いに向かって内向きに水平方向に延在する、水平区分と、
傾斜区分であって、各傾斜区分が、前記水平区分の終端から下向きに延在し、かつ降下するにつれて外向きに傾斜する、傾斜区分と、を含む、請求項１１に記載のポークインコネクタ。
【請求項１３】
前記係止解除レバーの圧迫部分の側面が、前記水平区分と傾斜区分との間の曲げられた部分に引っ掛かり、挿入の程度を制限する、請求項１２に記載のポークインコネクタ。
【請求項１４】
各係止部分の終端上に挿入溝が形成され、該挿入溝が、丸い形状を有し、前記挿入溝が、前記ワイヤへのクランプ力を増大させ、押し込まれるワイヤの各側面を包囲することによって接触面積を拡大する、請求項１１に記載のポークインコネクタ。
【請求項１５】
前記係止部分が、
第１の伸長区分であって、各第１の伸長区分が、前記被覆部分から、別の第１の伸長区分の反対側の、前記はんだ付け部分の反対側の端部に向かって延在する、第１の伸長区分と、
第２の伸長区分であって、各第２の伸長区分が、前記第１の伸長区分から、別の第２の伸長区分と平行である、前記はんだ付け部分の反対側の端部に向かって延在する、第２の伸長区分と、
第３の伸長区分であって、各第３の伸長区分が、前記第２の伸長区分から前記はんだ付け部分の反対側の端部に向かって延在し、かつ別の第３の伸長区分と向かい合うように傾斜および延在し、前記ワイヤがそれらの終端間に押し込まれる、第３の伸長区分と、を含む、請求項１４に記載のポークインコネクタ。
【請求項１６】
前記被覆部分と第１の伸長区分との間に形成された曲げられた区分の強度を強化するために、該曲げられた区分上の内部に向かって突出するビードが形成される、請求項１５に記載のポークインコネクタ。
【請求項１７】
前記係止部分が、
第１の伸長区分であって、各第１の伸長区分が、前記被覆部分から、他方の第１の伸長区分の反対側の、前記はんだ付け部分の反対側の端部に向かって延在する、第１の伸長区分と、
第２の伸長区分であって、各第２の伸長区分が、前記第１の伸長区分から、別の第２の伸長区分と平行である、前記はんだ付け部分の反対側に向かって延在する、第２の伸長区分と、
第３の伸長区分であって、各第３の伸長区分が、前記第２の伸長区分から前記はんだ付け部分の反対側に向かって延在し、かつ他方の第３の伸長区分と向かい合うように傾斜および延在し、前記ワイヤがそれらの終端間に押し込まれる、第３の伸長区分と、を含む、請求項１１に記載のポークインコネクタ。
【請求項１８】
前記被覆部分と前記第１の伸長区分との間に形成される前記曲げられた区分の強度を補強するために、該曲げられた区分上の内部に向かって突出するビードが形成される、請求項１７に記載のポークインコネクタ。
【請求項１９】
前記はんだ付け部分のいずれかの側面上に、端子と筐体との間の結合を強化するように、楔形の楔結合部分が上向きに延在し、各被覆部分の外部上に、外向きに突出する引っ掛け縁が、前記筐体の側面の内側がそれらに引っ掛かるように形成される、請求項１１に記載のポークインコネクタ。
【請求項２０】
前記ワイヤが完全に押し込まれたときに、該ワイヤの終端と前記はんだ付け部分が互いに離間し、該はんだ付け部分が全体的にパネルの形状に形成される、請求項１１に記載のポークインコネクタ。
【発明の詳細な説明】
【技術分野】
【０００１】
本開示は、２０１３年３月２９日に韓国特許庁に出願され、「ポークインコネクタ」と題される、先に出願された韓国特許出願第１０−２０１３−００３４６０２号に対する優先権を主張する。前述の特許出願の内容は、全体として本明細書に完全に組み込まれる。
【背景技術】
【０００２】
本開示は概して、単にワイヤを端子の中に突き入れる動作によって、ワイヤが端子に係止されるのと同時に接触され得るように構成されるポークインコネクタに関し、より具体的には、本開示はワイヤの係止および係止解除を促進するポークインコネクタに関する。
【０００３】
概して、従来の電子デバイスは、ワイヤに接続された端子がプリント基板（ＰＣＢ）の表面にはんだ付けされ、かつ絶縁筐体によって包囲されるような形態を有するコネクタを含む。これらのコネクタは、ワイヤが端子に係止され、単に端子の中に押し込む動きによって接触される、「ポークインコネクタ」を含む。従来のポークインコネクタの実施例は、「Ｌｏｗ  Ｐｒｏｆｉｌｅ  Ｓｕｒｆａｃｅ  Ｍｏｕｎｔ  Ｐｏｋｅ−Ｉｎ  Ｃｏｎｎｅｃｔｏｒ」と題される米国特許第７，５１３，７９３号および「Ａｃｔｕａｔｉｎｇ  Ｄｅｖｉｃｅ  ｆｏｒ  ａｎ  Ｅｌｅｃｔｒｉｃａｌ  Ｃｏｎｎｅｃｔｉｏｎ  Ｔｅｒｍｉｎａｌ」と題される同第８，３２８，５８６号に開示されている。これらの出願の各々の内容は、全体として本明細書に組み込まれる。
【０００４】
７９３号特許に開示されるコネクタを用いると、ワイヤを端子の中に押し込むのは簡単であるが、ワイヤを端子から分離するのはいくぶん困難である。具体的には、ワイヤを着脱するために、鋭利な工具がまず筐体の上に形成された穴の中に置かれなければならず、次にワイヤを保持している端子が圧迫されてクランプ力を逃がさねばならず、これは不便である。加えて、端子を工具で圧迫するのは構造的に困難である。
【０００５】
５８６号特許に開示されるコネクタは、ワイヤを端子の中に押し込み、これを端子から分離するプロセスが７９３号特許のものよりも簡単であるという利点を有する。具体的には、指先、ねじ回し等を用いて絶縁筐体上に形成されるプッシャアームを単に圧迫することによって、ワイヤは端子から容易に分離し得る。この利点にもかかわらず、プッシャアームが側面に延在した後に上向きに曲げられるため、５８６号特許に開示されるコネクタは、曲がった部分が反復使用の間に増大する疲労を負うという少なからぬリスクを有する。加えて、プッシャアームが圧迫されたとき、アームの終端が下向される程度が一貫しない。したがって、押す力が大きい場合、ワイヤが端子から容易に分離され得るが、一方押す力が小さい場合、ワイヤが端子から分離されるのが困難である。
【発明の概要】
【課題を解決するための手段】
【０００６】
上記の問題を解決するために考案された本開示の目的は、係止を解除するために圧迫されるレバーの疲労を最小限にし、かつレバーが圧迫されたときに、一貫した下げられた高さを維持することにより、ワイヤの分離の程度を一貫したままにし得るポークインコネクタを提供することである。
【０００７】
本開示のポークインコネクタは、ワイヤが押し込まれて係止されると同時に接触する端子と、端子を被覆し、かつワイヤを係止から解除する係止解除レバーと一体として形成される筐体とを備える。係止解除レバーは、弾力性を有し、かつ筐体から延在する可撓性伸長部分と、可撓性伸長部分の終端上に形成され、かつ圧迫されたときに端子の係止部分をいずれかの側に開放することにより、ワイヤの着脱を可能にする圧迫部分とを備える。筐体は、側面および頂面で構成されている。
【０００８】
可撓性伸長部分は、頂面から延在する。可撓性伸長部分は、弾力性によって曲げ構造に形成される。可撓性伸長部分は、筐体の頂面から水平方向に延在する第１の伸長区分を備える。曲げ区分は、第１の伸長区分の終端から下向きに曲がり、次に上向きに曲げられる。第２の伸長区分は、曲げ区分の終端から水平方向に延在する。
【０００９】
筐体の頂面にはそれぞれ、係止解除レバーが位置する上方から端子を露出する端子露出穴が形成される。レバーストッパ部分が端子露出穴のいずれかの側壁の上に形成され、指または工具を用いて圧迫されたときにレバーが移動する程度を制限するために溝の形を有する。
【００１０】
筐体の上部内側に、ワイヤが対角線上に下向きの勾配で挿入され得るように、筐体の中に挿入されるワイヤを誘導する誘導部分が形成される。誘導部分の誘導表面は、ワイヤの挿入の方向に下向きに偏向する。
【００１１】
端子は、円板の形で、ＰＣＢにはんだ付けされたはんだ付け部分を備える。一対の被覆部分が、はんだ付け部分の一方の終端のいずれかの側からそれぞれ上向きに曲げられる。一対の係止部分が、それぞれの被覆部分からはんだ付け部分の他方の端部に向かって延在し、終端間に押し込まれたときにワイヤが係止されるように、終端に近づくにつれて幅が狭くなる。係止解除部分は、互いに向かい合い、それぞれの係止部分の上端部から延在する。圧迫部分の底部をそれらの間に挿入することにより、係止を解除するとき、ワイヤが係止状態から解除されるように、係止部分間の間隙が広がる。
【００１２】
係止解除部分は、係止部分の上部から上向きに垂直に延在する垂直区分と、互いに向かい合い、垂直区分の上部から内向きに水平方向に延在する水平区分と、水平区分の終端から下向きに延在し、かつ下向きに移動するにつれて外向きに傾斜する傾斜区分とを備える。係止解除レバーの圧迫部分の両側が、水平区分と傾斜区分との間の曲げられた部分に引っ掛かり、よって挿入を制限する。各係止部分の終端で、いずれかの側で包囲されているワイヤによって押し込まれたワイヤ上のクランプ力が増大し、接触面積を拡大する丸い形状の溝が延在する。
【００１３】
係止部分は、互いに対向して、被覆部分からはんだ付け部分の反対側に向かってそれぞれ延在する、第１の伸長区分と、第１の伸長区分からはんだ付け部分の反対側に向かってそれぞれ延在し、かつ互いに平行して延在する、第２の伸長区分と、第２の伸長区分からはんだ付け部分の反対側に向かってそれぞれ延在し、かつ互いに向かって曲がり、ワイヤが終端間に押し込まれる、第３の伸長区分と、を備える。被覆部分と第１の伸長区分との間に形成される曲げられた区分の強度を強化するように、曲げられた区分上に内向きに突出するそれぞれのビードが形成される。端子と筐体との間の結合を強化するように、はんだ付け部分のいずれかの側面上に楔形の楔結合部分がそれぞれ上向きに延在し、各被覆部分の外部上に、外向きに突出する引っ掛け縁が、筐体の側面の内側がそれらに引っ掛かるように形成される。ワイヤが完全に押し込まれると、はんだ付け部分およびワイヤの終端が互いに離間し、かつはんだ付け部分がパネルの形に形成される。
【００１４】
本開示のポークインコネクタは少なくとも以下の効果を有する。第１に、圧迫されて係止を解除するように設計される係止解除レバーが、筐体の頂面から延在し、かつ係止解除レバーを形成する伸長部分が曲げ構造に形成され、ゆえに弾力性を増大し、それにより係止解除レバーの疲労が最小限となることおよび係止解除レバーのより簡単な操作を可能にする。
【００１５】
第２に、係止解除レバーが圧迫される距離を制限するため、レバーストッパ部分を筐体の中に形成される端子露出穴のいずれかの側の壁の上に溝の形に形成することにより、指または工具を用いて係止解除レバーを圧迫することによりワイヤを係止状態から解除するとき、係止解除レバーが常に特定の距離だけ圧迫されるため、ワイヤの係止解除状況が一貫したまま保持され得る。具体的には、従来のコネクタにおいて、圧迫されて係止を解除する要素の圧迫する距離が印加される力によってさまざまであるため、ある時にはワイヤが十分に締められ得るが、別の時には十分に締められ得ないという問題が存在する。本開示においては、対照的に、圧迫する距離が常に固定されているため、ワイヤは常に十分に締められる。
【００１６】
第３に、筐体の上部内側へのワイヤの挿入を誘導する誘導部分が形成される。誘導部分の誘導表面をワイヤ挿入の方向に下向きに傾斜して形成することにより、単にワイヤを筐体の中に挿入して押すことによって、ワイヤがある角度で自動的に挿入され得る。ゆえに、ワイヤの挿入は簡単である。
【００１７】
第４に、筐体に結合されるはんだ付け部分の上に楔形の楔結合部分が形成される。筐体の内側に引っ掛かる引っ掛け縁を被覆部分上に形成することにより、筐体が端子にしっかりと連結される。したがって、ワイヤが移動したときでさえも、筐体が端子から分離されるというリスクは存在しない。
【００１８】
第５に、ワイヤを包囲するように、係止部分の終端にワイヤが係止される丸い挿入溝を形成することにより、係止がしっかりとしたままになるようにワイヤ上のクランプ力が増大し、かつワイヤと端子との間の接触面積が拡大される。最後に、被覆部分と係止部分との間に形成される曲げ区分の内面の中に突出するビードを形成することにより、曲げ区分の強度が強化される。
【００１９】
本開示の構造および運用の編成および方途は、本開示のさらなる目的および利点とともに、添付の図面と併せて以下の詳細な説明を参照することにより最良に理解され得、類似の参照番号は類似の要素を識別する。
【図面の簡単な説明】
【００２０】
【図１】本開示の実施形態に従うポークインコネクタの設置された状態を示す斜視図である。
【図２】図１の分解図である。
【図３】図１を上方から示した図である。
【図４】図１を側面から示した図である。
【図５】図１のポークインコネクタ内で用いられる筐体を示す斜視図である。
【図６】図５の筐体を示す正面図である。
【図７】図５の筐体を示す断面図である。
【図８】ワイヤが押し込まれ、筐体と端子が連結されたことを示す、図１のポークインコネクタの断面図である。
【図９】端子の中に押し込まれたワイヤを示す斜視図である。
【図１０】端子を示す正面図である。
【図１１】係止解除レバーの圧迫部分を押し下げることによって解除されているワイヤの係止を示す図である。
【図１２】本開示の別の実施形態に従う、設置された状態のポークインコネクタを示す斜視図である。
【図１３】本開示の別の実施形態に従う、ポークインコネクタの端子の中に押し込まれたワイヤを示す斜視図である。
【図１４】本開示の別の実施形態に従う、ポークインコネクタの端子を示す正面図である。
【発明を実施するための形態】
【００２１】
本開示は異なる形式の実施形態の影響を受けやすい場合があるが、本開示が本開示の原理の例示と見なされ、本開示を説明されるように制限することが意図されないという理解とともに、特定の実施形態が図面中に示され、本明細書において詳細に記載される。
【００２２】
このため、特徴または態様への参照は、本開示の実施例の特徴または態様の説明を意図し、本開示のすべての実施形態が記載の特徴または態様を有さなければならないということを暗示しない。さらに、記載はいくつかの特徴を説明することに留意されたい。可能性のあるシステム設計を説明するためにある特定の特徴が組み合わされているが、これらの特徴は、明白に開示されない他の組み合わせにおいても用いられ得る。ゆえに、描写された組み合わせは、別様に記載されない限り、制限することを意図されない。
【００２３】
図面に図示される実施形態において、上、下、左、右、前および後ろ等の方向の表現は、本開示の種々の要素の構造および動きを説明するために用いられ、絶対でなく相対である。これらの表現は、要素が図面に示される位置にあるときに適切である。要素の位置の記載が変更された場合、しかしながら、これらの表現は、それに応じて変更されることになる。
【００２４】
図面、特に図１〜３を参照して、本実施形態に従うポークインコネクタ１は、ワイヤが係止されかつ接続されるように押し込まれる、ＰＣＢ２上に取付けられた端子１００と、被覆することにより端子１００を保護する筐体２００とを備える。筐体２００は、側面２１０および頂面２２０を備える。筐体２００の頂面２２０の上に、ワイヤが係止状態から解除され得るように、係止解除レバー２３０が単一のユニットとして形成され、筐体２００の側面２１０のうちの１つの上に、中にワイヤが挿入されるワイヤ挿入穴２１１が形成される。この構造を有する本開示のポークインコネクタ１によれば、ワイヤが単にワイヤ挿入穴２１１を介して挿入された場合、端子１００の中に押し込まれるとすぐにワイヤが係止され、端子１００に接続される。単に係止解除レバー２３０を圧迫することにより、ワイヤ３が容易に端子１００から分離され得るように、係止が解除される。
【００２５】
概して図５〜６を参照して、係止解除レバー２３０の終端上に、指または工具による圧迫を可能にするための圧迫溝が形成される。圧迫溝は、ねじ錐またはねじ回し等の工具を用いて圧迫され得る、係止解除レバー２３０終端の中央上部分の上に形成される第１の圧迫溝２３１と、指、ねじ回し等を用いて圧迫され得る、係止解除レバー２３０終端の幅方向に沿って形成される、第１の圧迫溝２３１を交差する第２の圧迫溝２３２とを備える。
【００２６】
筐体２００の頂面上に、端子を上方から露出するための端子露出穴２２１が形成される。端子露出穴２２１内に係止解除レバー２３０が形成される。端子露出穴２２１のいずれかの側壁の上部分に、係止解除レバー２３０の終端が指または工具を用いて圧迫されたときに、指または工具が引っ掛かるようにすることにより、係止解除レバー２３０の終端の端子露出穴２２１の中への必要以上の挿入を妨げる、それぞれのレバーストッパ部分２２２が溝の形で形成される。その結果、ワイヤを係止から解除するときに係止解除レバー２３０の終端が下げられる高さｈ１が一定であり、ワイヤが係止状態から解除されるときはいつでも、係止の解除の方途が均一となり得る。ゆえに、係止解除時にワイヤを除去するときに、ワイヤがときどきたやすく出て、ときどきたやすく出ないという問題が存在せず、ワイヤは常にたやすく出る。
【００２７】
概して、図７を参照して、係止レバー２３０は、筐体２００から延在し、かつ弾力性を高める曲げ構造を有する可撓性伸長部分２３３を備える。可撓性伸長部分２３３の終端に圧迫部分２３４が形成され、圧迫されたときに端子１００の係止区分をいずれかの側に広げることにより、ワイヤを係止状態から解除させる。
【００２８】
可撓性伸長部分２３３が筐体２００の頂面２２０から延在し、端子露出穴２２１内に位置する。この可撓性伸長部分２３３は、筐体２００の頂面２２０から水平方向に延在する第１の伸長区分２３３ａと、第１の伸長区分２３３ａの終端から下向きにまず垂直方向に曲がり、次に水平方向に延在し、最終的には上向きに傾斜するように曲がる曲げ区分２３３ｂと、曲げ区分２３３ｂの終端から水平方向に延在する第２の伸長区分２３３ｃとを備える。係止解除レバー２３０は、この可撓性伸長部分２３３のために、５８６号特許に示されるプッシャよりも大きい弾力性を有する。
【００２９】
下の表１は、参照のために、同一の材料、同一の高さ（０．７ｍｍ）で作製された、本開示の係止解除レバー２３０および５８６号特許に開示されるプッシャ２１に圧迫のために及ぼされる力の比較を提示する。
【表１】
2016514888.tif 000003
【００３０】
本開示の係止解除レバー２３０の場合、０．７ｍｍ移動させるために３．６６Ｎが必要である。５８６号特許に開示されるプッシャ２１の場合、０．７ｍｍ移動させるために４．７５Ｎが必要である。これは、係止解除レバー２３０とプッシャ２１との間の弾力性の違いのためである。具体的には、これは本開示の係止解除レバー２３０の弾力性が、５８６号特許に開示されるプッシャ２１の弾力性よりも優れているためである。
【００３１】
この弾力性の違いは、係止解除レバー２３０およびプッシャ２１が圧迫されてワイヤを係止から解除したときだけでなく、係止が解除されたときのこれらの最初の状態への復帰にも実質的な影響を有する。具体的には、高い弾力性を有する係止解除レバー２３０の復帰は、５８６号特許に開示されるプッシャ２１よりも早く発生する。
【００３２】
よって弾力性の違いが疲労の違いをもたらす。本開示の場合、係止解除レバー２３０上の疲労が最小限とされ得るように、曲げ構造として係止解除レバー２３０を作る可撓性伸長部分２３３を形成することにより弾力性は増大する。
【００３３】
概して、図８〜９を参照して、筐体２００の内頂部に、筐体２００の中へと挿入されるワイヤ３を、対角線上に下向きに傾斜して挿入され得るように誘導する誘導部分２４０が形成される。誘導部分２４０の誘導表面２４１は、ワイヤ３の挿入の方向に下向きの勾配で形成される。したがって、ワイヤ３は、ワイヤ挿入穴２１１を通してワイヤ３を単に挿入することにより、自動的に偏向して挿入される。
【００３４】
端子１００は、はんだ付け部分１１０と、一対の被覆部分１２０と、一対の係止部分１３０と、一対の係止解除部分１４０とを備える。はんだ付け部分１１０は、ＰＣＢにはんだ付けされた部分であり、全体的に平らなパネル形状に形成される。ワイヤ３が挿入されると、はんだ付け部分１１０とワイヤ３の終端とが互いに離間する。したがって、上向きに引っ張ることによりワイヤ３が除去されると、ワイヤ３の終端がはんだ付け部分１１０に接触しないため、ワイヤ３は簡単に除去され得る。はんだ付け部分１１０の他方の終端のいずれかの側で、楔形のそれぞれの楔結合部分１５０が、筐体２００の側面としっかりと結合するように延在する。
【００３５】
被覆部分１２０は、はんだ付け部分１１０の一方の終端のいずれかの側からそれぞれ上向きに曲げられてワイヤ３を包囲する。これらの被覆部分１２０は、それぞれが向かい合う、はんだ付け部分１１０から上向きに垂直方向に延在する垂直伸長区分１２１と、垂直伸長区分１２１から内向きに水平方向に延在する水平伸長区分１２２とを備える。各被覆部分１２０の垂直伸長部分１２１の外側に、外向きに突出する引っ掛け縁１２３が、筐体２００の側面の内側がそれらに引っ掛かるように形成され、よって筐体２００の側面とのしっかりとした結合が確保される。
【００３６】
係止部分１３０は、各被覆部分１２０からはんだ付け部分１１０の反対側に向かってそれぞれ延在する。係止部分１３０は、終端に向かって狭くなり、ワイヤ３が終端間に押し込まれると係止する。これらの係止部分１３０は、それぞれの被覆部分１２０からはんだ付け部分１１０の遠端に向かって延在し、かつ互いに向かって傾斜する第１の伸長区分１３１と、第１の伸長区分１３１からはんだ付け部分１１０の縁端へと延在し、かつ互いに平行に延在する第２の伸長区分１３２と、第２の伸長区分１３２からはんだ付け部分１１０の縁端に向かってそれぞれ延在し、互いに向かって傾斜しながら延在し、押し込まれたときにワイヤ３を終端間に係止する第３の伸長区分１３３とを備える。
【００３７】
係止解除部分１４０は、それぞれの係止部分１３０の上部から互いに反対側に延在する。係止解除時、係止解除部分１４０は、ワイヤ３が圧迫部分２３４の下端間に挿入されたとき、係止部分１３０を離間して広げることにより、ワイヤ３が係止状態から解除されることを確保する。被覆部分１２０および第１の伸長区分１３１にわたって形成される曲げられた区分上に、内向きに突出して曲げられた区分の強度を強化する、それぞれのビード１６０が形成される。
【００３８】
概して、図１０〜１１を参照して、係止解除レバー１４０は、それぞれの係止部分１３０の上部から上向きに垂直方向に延在する垂直区分１４１と、垂直区分１４１の上部から互いに向かって内向きに水平方向に延在する水平区分１４２と、水平区分１４２の終端から下向きに延在し、かつ外向きに傾斜する傾斜区分１４３とを備える。係止解除レバー２３０の圧迫部分２３４の底部に、圧迫部分２３４が下向きに圧迫され、かつ一対の係止部分１３０の間に押し込まれるにつれて係止部分１３０を拡開させる押し込み区分２３４ａが形成される。区分２３４ａのいずれかの側の上に、圧迫部分２３４が圧迫されたときに、水平区分１４２と傾斜区分１４３と間の曲げられた部分に引っ掛かることにより、押し込み区分２３４ａのさらなる挿入を制限するそれぞれの引っ掛け縁２３４ｂが形成される。
【００３９】
ワイヤ３上の係止を解除するプロセスを再検討すると、図１１（ａ）に示されるように、係止解除レバー２３０の圧迫部分２３４が圧迫された場合、（ｂ）に示されるように、ワイヤ３上の係止を解除するために２つの係止部分１３０が離間して広げられる一方、圧迫部分２３４の押し込み区分２３４ａが係止部分１３０の間に押し込まれる。ワイヤ３上の係止の解除時にワイヤ３が除去され、圧迫部分２３４を圧迫していた力もまた解除される場合、可撓性伸長部分２３３の弾力性のために圧迫部分２３４は元の状態に戻り得る。
【００４０】
本プロセスにおいて、押し込み区分２３４ａと傾斜区分１４３との間の接触面積（すなわち、水平区分１４２と傾斜区分１４３との間の丸い区分の面積）が小さいため、圧迫部分２３４は容易に元の状態に戻り得る。特に、傾斜区分１４３の下部が外向きに傾斜するので、傾斜区分１４３の終端が押し込み区分２３４ａに接触しないため、動作中、押し込み区分２３４ａは傾斜区分１４３の終端にまったく影響を及ぼさない。
【００４１】
図１２は、本開示の別の実施形態を大まかに開示する。本実施形態のポークインコネクタ１によれば、２つの端子（図示せず）はＰＣＢにはんだ付けされ、かつ単一の筐体２００によって被覆され、ゆえに２つのワイヤが単一のコネクタ１に接続されることを可能にする。２つの係止解除レバー２３０が単一の筐体２００上に供与され、２つのワイヤのうちの１つのそれぞれの係止が解除されることを可能にする。
【００４２】
端子の構成および係止解除レバーの構成は、第１の実施形態と同一であり、その説明はよって省略される。
【００４３】
図１３は、本開示の別の実施形態を大まかに開示する。本実施形態によれば、係止部分１３０の中の第３の伸長区分１３３の終端上に、ワイヤ３のいずれかの側を全体的に包囲する丸い押し込み溝１３３ａが形成される。したがって、ワイヤ３と第３の伸長区分１３３との間の接触面積が拡大され、ワイヤ３が確実に締められ、所定の位置に係止される。
【００４４】
図１４は、本開示の別の実施形態を大まかに開示する。一対の傾斜区分１４３は第１の実施形態のように外向きに傾斜して形成され得るが、構成はそれに限定されない。本実施形態では、一対の傾斜区分１４３が互いに向かって内向きに傾斜して形成され得る。この場合、傾斜区分１４３の下隅は丸め処理を施され、ゆえにワイヤが係止状態から解除された後、係止解除レバー２３０の圧迫部分２３４の中に形成された押し込み区分２３４ａが傾斜区分１４３間から容易に着脱されることを可能にする。
【００４５】
本開示の好適な実施形態が示されかつ説明されたが、上述の記載および添付の請求項の趣旨および範囲を逸脱することなく、当業者が種々の修正を考案し得ることが想定される。
【図１】
2016514888.tif 000004
【図２】
2016514888.tif 000005
【図３】
2016514888.tif 000006
【図４】
2016514888.tif 000007
【図５】
2016514888.tif 000008
【図６】
2016514888.tif 000009
【図７】
2016514888.tif 000010
【図８】
2016514888.tif 000011
【図９】
2016514888.tif 000012
【図１０】
2016514888.tif 000013
【図１１Ａ】
2016514888.tif 000014
【図１１Ｂ】
2016514888.tif 000015
【図１１Ｃ】
2016514888.tif 000016
【図１２】
2016514888.tif 000017
【図１３】
2016514888.tif 000018
【図１４】
2016514888.tif 000019
【国際調査報告】
2016514888.tif 000020
2016514888.tif 000021